(57)【要約】      （修正有）【課題】液体を注ぎ出す時、圧力を加える必要がなく、且つ注ぎやすい液体パックを提供する。【解決手段】周縁が相互に密封されることで、間に液体充填空間11を形成し、且つ上方の隅角の位置に隅角密封部12を形成する相互に重なり合うフィルム10と、硬質開口部21を具え、且つ当該隅角密封部に近い位置に形成され、使用者が当該隅角密封部を切断した後、当該硬質開口部が液体パック1の固定口径の注ぎ口となることで、液体の注出を行いやすくする開口部材と、当該フィルム上の当該開口部材に近い位置に形成され、且つそれぞれの一端が当該硬質開口部に向かっている少なくとも２本の棒状支持凸縁30と、を含む液体パックで、液体パックの自立の支持及び液体の流出誘導の効果を発揮し、同時にこの構造により量産しやすい利点を達することができる。【選択図】図６Ａ
0003102702.tif 000002
【実用新案登録請求の範囲】
【請求項１】
周縁が相互に密封されることで、間に液体充填空間を形成し、且つ上方の隅角の位置に隅角密封部を形成する相互に重なり合うフィルムと、
硬質開口部を具え、且つ前記隅角密封部に近い位置に形成され、使用者が当該開口部を切断した後、液体パックの固定口径の注ぎ口となることで、液体の注出を行いやすくする開口部材と、
前記フィルム上の前記開口部材に近い位置に形成され、且つそれぞれの一端が前記硬質開口部に向かっている少なくとも２本の棒状支持凸縁と、
を含むことを特徴とする液体パック。
【請求項２】
周縁が相互に密封されることで、間に液体充填空間を形成し、且つ上方の隅角の位置に隅角密封部を形成する相互に重なり合うフィルムと、
硬質開口部を具え、且つ前記隅角密封部に近い位置に形成され、使用者が前記隅角密封部を切断した後、当該硬質開口部が液体パックの固定口径の注ぎ口となるようにすることで、液体の注出を行いやすくする開口部材と、
前記フィルム上の前記開口部材に近い位置に形成され、且つそれぞれ一端が前記硬質開口部に向かっている少なくとも２本の棒状支持凸縁と、
前記フィルム上の別の上方の隅角位置に形成され、使用者が指を中に入れ、当該液体パックを持ち上げることができるようにする携帯用指穴と、
前記携帯用指穴の内縁側に形成され、使用者が当該液体パックを持ち上げた時、その指が平らに面するようにする曲折部と、
を含むことを特徴とする液体パック。
【請求項３】
前記硬質開口部における口径切断面は、長方形であることを特徴とする請求項１または２に記載の液体パック。
【請求項４】
前記硬質開口部における口径切断面は、多角形であることを特徴とする請求項１または２に記載の液体パック。
【請求項５】
前記硬質開口部における口径切断面は、楕円形であることを特徴とする請求項１または２に記載の液体パック。
【請求項６】
前記開口部材は、いかなる動物の形状をも呈し、且つ前記硬質開口部は、動物の口部であることを特徴とする請求項１または２に記載の液体パック。
【請求項７】
前記２本の棒状支持凸縁は、それぞれ２枚の異なるフィルム上に形成されていることを特徴とする請求項１または２に記載の液体パック。
【請求項８】
前記２本の棒状支持凸縁は、それぞれ前記液体充填空間に対して外側に突出するように向いていることを特徴とする請求項１または２に記載の液体パック。
【請求項９】
前記２本の棒状支持凸縁は、前記開口部材とともに、前記硬質開口部に向かう液体誘導経路を囲い込んで形成することを特徴とする請求項１または２に記載の液体パック。
【請求項１０】
前記フィルムの形状は、長方形であることを特徴とする請求項１または２に記載の液体パック。
【請求項１１】
当該液体パックにおける液体は、前記液体充填空間の下方にのみ注入してあることを特徴とする請求項１または２に記載の液体パック。
【請求項１２】
前記携帯用指穴は、細長い溝穴であることを特徴とする請求項２に記載の液体パック。
【請求項１３】
前記曲折部は、複数の丸穴を具え、使用者の指がその中に収まるようにすることを特徴とする請求項２に記載の液体パック。
【考案の詳細な説明】
【技術分野】
【０００１】
本考案は、液体パックに関し、特に切断後すぐに硬質開口部が液体の注ぎ口となる液体パックに関する。
【背景技術】
【０００２】
一般の従来型自立式液体パックは、その多くが液体洗剤又はシャンプー等のペースト状の液体を装入するために用いられているため、当該液体は粘着性が高く、注ぎ出しにくい等の特徴があった。同時にこれらの自立式液体パックにおける外形の設計に合わせるため、その注ぎ口上には、開閉できる蓋はほとんど設けられていない。図９Ａに示すように、当該液体パックの２枚の重なっているフィルム５０（図面には１枚のみ示す）の周縁を密封することで、当該フィルム５０の間に液体充填空間５１が形成され、さらに内部の液体を注ぎ出したい場合、ハサミ等の工具を使用して、当該液体パック５の上方に予め設けられた隅角５２を切断し、当該液体パック５を持ち上げて傾ける方法により、当該隅角５２を下に向け、それにより内部のペースト状の液体が重力を受けることで、当該液体パック５の周縁に沿ってゆっくりと流出することができる。
【０００３】
しかしながら、このような液体パック５は、２枚のフィルム５０の重なった設計を採用し、且つその内部の液体も満杯に注入することができず、当該液体充填空間５１のほぼ半分までしか注入できないため、使用者が上方の予め設けられた隅角５２を切断したとしても、当該液体パック５の２枚のフィルム５０は、当該隅角５２の周囲において重なった粘着状態を保持するため、図９Ｂに示すように、当該切断後の注ぎ口５５の開口が皺状で且つ粘着状態を呈し、加えて内部の液体洗剤等の液体も高い粘着性を具えるため、使用者は図９Ｃのように、液体パック５を傾けて且つ当該液体を注出する時、同時に当該液体パック５に圧力を加え、圧力によってスムーズに注出せざるをえなかった。但し、この方法は、流量を制御することが難しく、注ぎ出し過ぎる状況が発生することが度々あり、甚だ不便であった。また、前述の２枚のフィルム５０が重なった液体パック５の設計については、その液体を装入していない上半分が支えにくく、変形してしまう問題もあり、当該自立式液体パック５の自立の安定性に大きく影響していた。
【０００４】
この問題を解決するために、特許文献１の案件は、改良式の液体パックを掲示している。それは、当該液体パックの上方の注ぎ口付近に、それぞれ第１強化ワイヤ及び第２強化ワイヤを設計し、当該２本の強化ワイヤがフィルムの表面及び裏面における作用力を変更し、その注ぎ口に開口状態を形成させ、液体を注出する時に詰まる現象を起こさないようにした。但し、この設計は、製造が容易でなく、さらに毎回の製造時に２本の強化ワイヤの湾曲幅を正確に制御することが困難であるため、大量生産するための基準となる製造規格を形成することができず、優れたアイディアでありながらも商業上のニーズに符合しがたく、その他の改良方法によりこの長きにわたる従来の問題を解決する必要がある。
【特許文献１】中華民国専利公告第４６７８４７号
【０００５】
そこで、いかに改良式液体パックを設計し、圧力を加えない状況のもと、容易に液体を注出することができ、同時に、量産及びコスト面の考慮も兼ね備え、且つ支持と液体誘導の利点を具えるかが、この分野において明らかに解決が待たれる問題である。
【考案の開示】
【考案が解決しようとする課題】
【０００６】
本考案は、液体を注ぎ出す時、圧力を加える必要がなく、且つ注ぎやすい液体パックを提供することを目的とする。
【０００７】
また、本考案は、低コストで且つ量産しやすい液体パックを提供することを目的とする。
【０００８】
また、本考案は、支えやすく、且つ安定して自立する液体パックを提供することを目的とする。
【０００９】
また、本考案は、液体を注出する時、液体誘導効果を具える液体パックを提供することを目的とする。
【００１０】
さらに、本考案は、持ち上げやすく且つ持ち上げる時に手を切らないようにする液体パックを提供することを目的とする。
【課題を解決するための手段】
【００１１】
前述及びその他の目的を達成するために、本考案の提供する液体パックは、周縁が相互に密封されることで、間に液体充填空間を形成し、且つ上方の隅角の位置に隅角密封部を形成する相互に重なり合うフィルムと、硬質開口部を具え、且つ当該隅角密封部に近い位置に形成され、使用者が当該隅角密封部を切断した後、当該硬質開口部が液体パックの固定口径の注ぎ口となることで、液体の注出を行いやすくする開口部材と、当該フィルム上の当該開口部材に近い位置に形成され、且つそれぞれの一端が当該硬質開口部に向かっている少なくとも２本の棒状支持凸縁と、を含む。
【００１２】
本考案の提供する別の持ち上げやすい液体パックは、周縁が相互に密封されることで間に液体充填空間を形成し、且つ上方の隅角の位置に隅角密封部を形成する相互に重なり合うフィルムと、硬質開口部を具え、且つ当該隅角密封部に近い位置に形成され、使用者が当該隅角密封部を切断した後、当該硬質開口部が液体パックの固定口径の注ぎ口となるようにすることで、液体の注出を行いやすくする開口部材と、当該フィルム上の当該開口部材に近い位置に形成され、且つそれぞれ一端が当該硬質開口部に向かっている少なくとも２本の棒状支持凸縁と、当該フィルム上の別の上方の隅角位置に形成され、使用者が指を中に入れ、当該液体パックを持ち上げることができるようにする携帯用指穴と、当該携帯用指穴の内縁側に形成され、使用者が当該液体パックを持ち上げた時、その指が平らに接するようにする曲折部と、を含む。
【００１３】
前述の硬質開口部の口径切断面は、長方形、多角形又は楕円形等の形状とすることができ、且つ当該開口部材は、任意の動物の形状に設計することができる。その硬質開口部は、当該動物の口部であり、当該硬質開口部の固定された口径の切断面によって、従来の液体を注出しにくく且つ注出速度を制御しにくい欠点を解決する。
【００１４】
同時に、当該棒状支持凸縁の設計により、またその突出した設計及び形状によって、液体パックの自立の支持及び液体の流出誘導の効果を発揮することができ、さらに付加された携帯用指穴及び曲折部の設計によって、使用者が当該液体パックを持ち上げやすく、且つ手指を切りつける心配をなくすことができる。
【考案を実施するための最良の形態】
【００１５】
以下で特定の具体的な実施例により、本考案の実施方式を説明する。この技術を熟知している人は、本明細書に掲げる内容により容易に本考案のその他の利点及び効果を理解することができる。本考案はまた、その他の異なる具体的な実施例により実施又は応用を行うことができる。本明細書中の各詳細部分もまた、異なる観点及び応用に基づいて、本考案の精神を離脱しない範囲で各種の修飾又は変更を行うことができる。
【００１６】
図１は、本考案の比較的わかりやすい実施例における液体パック１の断面図を示し、周縁部分がペースト状の液体を注入した後に相互に密封され、間に液体充填空間１１を形成し、当該ペースト状の液体が一般的に当該液体充填空間１１の下半分にしか注入されず、且つ上方の隅角の位置に隅角密封部１２を定める２枚の相互に重なり合うフィルム１０（図面には１枚のみ示す）と、硬質開口部２１を備え、当該隅角密封部１２に近い位置に形成され、本実施例ではイルカの形状をしており、当該硬質開口部２１が当該イルカの口の先端部であり、固定の口径の開口を具え且つ当該隅角密封部１２に密封され、使用者が当該隅角密封部１２を切り落とした後に当該口の先端部２１が当該液体パック１における固定された口径の注ぎ口になるようにし、液体を注ぎやすくするように設計された開口部材２０と、２枚の異なるフィルム１０上の開口部材２０に近い位置に形成され且つ曲折形状を呈しており、且つそれぞれの一端が当該開口部材２０の末端に向かっており、且つそれぞれ当該液体充填空間１１の外側に向かって突出し、並びにその形成位置及び曲折形状により当該開口部材２０の末端に向かう液体誘導経路３１を囲いこみ、同時に当該液体パック１の上半分の支持及び注出誘導の機能を発揮するように設計された２つの棒状支持凸縁３０と、を含む。
【００１７】
前述の設計により、使用者が当該液体パック１の密封包装を開封して液体を注ぎ出す場合、図２に示すように、ハサミで当該隅角密封部１２を切り落とし、同時に当該イルカの尖った口部２１の先端を切り落とす。この時、当該液体パック１の包装を開封して当該イルカの口部２１の固定された口径の注ぎ口２２を露出させ、当該液体パック１が傾いた時に液体注ぎ口を形成することができる。このイルカの口部は、ヒートシール加工で作られており、それが平らなパイプ状を呈し且つ一定の硬度を具えるようにすることで、固定の開口口径を維持して変化しない。本考案では、当該固定の口径の切断面の形状は、例えば、図３Ａの長方形、図３Ｂの多角形又は図３Ｃの楕円形等各種の設計を行うことができ、全てその固定形状により使用者が容易に当該注ぎ口２２から当該ペースト状の液体を注ぎ出せ、従来の注出の課題を解決することができる。
【００１８】
また、当該２本の棒状支持凸縁３０の設計により、当該液体パック１の上半分において支持効果を発揮することもでき、図４の立体図のように、液体パックを安定して立たせる効果を維持する。同時に、使用者が当該液体パック１を傾けて注出そうとする場合、当該液体充填空間１１内の液体が当該２本の棒状支持凸縁３０の曲折によりその定められた流出経路３１に沿って、その誘導を受けて容易に当該開口部材２０の位置に至り、従来の液体パックの流れにくい欠点を改善し、液体を注ぐ速度及び量を簡単に制御することができる。
【００１９】
本考案は、前述の実施例のほかに、図５Ａに示す実施例２も可能であり、当該開口部材２０の隅角密封部１２と対称の他方の隅角１５に携帯用指穴４０が設計されており、当該携帯用指穴４０は当該フィルム１０における隅角密封位置に開けられ且つ当該２枚のフィルム１０を貫通する細長い溝穴であり、使用者が指を当該携帯用指穴４０の中に入れて、容易に当該液体パック１を持ち上げることができるように設計されている。この設計の特徴は、当該携帯用指穴４０の上方の内縁側４１が曲折部４２を具えていることであり、当該フィルム１０が垂直状態を呈するまで曲げることができる。そのため、使用者の指が当該携帯用指穴４０に入れられ、当該液体パック１を持ち上げようとする時、その指が当該曲折部４２の平面に沿って平らに接し、周縁の比較的鋭利な携帯用指穴４０における内縁側４１と接触する必要がなく、図５Ｂに示すように、指が当該携帯用指穴４０の内縁側４１に当たって切り傷を負う問題を避けることができる。
【００２０】
このほかに、図６Ａ、図６Ｂもこの携帯用指穴４０のその他の実施例を掲示し、当該曲折部４２の中間に４個の指の大きさに符合する丸穴４３を開け、使用者の指が当該携帯用指穴４０に入れられた時、その４本の指が当該曲折部４２の曲折によって、当該丸穴４３の丸穴弧面４３ａに収まるようにして、同様に指を切らないように保護する効果を達成することができる。図７Ａ、図７Ｂの実施例は、当該携帯用指穴４０の内縁側４１上に光沢材料４５、例えば光沢板紙をコーティング加工することで、同様に液体パック１を持ち上げる時に、使用者の指を保護する効果を具える。
【００２１】
当然のように、本考案は、前述に掲げる各実施例のみに限られるものではなく、例えば当該イルカ部材は当該開口部材におけるひとつの例であるだけで、その他の形状の設計も本考案に適用できる。例えば、図８に示す鳥型部材２０は、鳥のくちばしが、固定の口径の硬質開口部２１を具えるように設計されるため、当該液体パック１の隅角密封部１２が切断された後、液体パック１の内部におけるペースト状の液体を、容易に当該鳥のくちばしの硬質開口部２１から傾けて注ぎ出すことができる。同時に、図８は前述の棒状支持凸縁３０の別の例でもあり、当該２本の棒状支持凸縁３０は、それぞれ別の曲折形状を形成しており、前述と異なる誘導経路３２を定めて、同様に液体パック１と経路の傾斜を支持する効果を具える。
【００２２】
以上に述べたように、本考案が掲げる液体パックは、傾けやすく、量産が容易という利点を具えており、且つ液体パックの自立支持及び液体誘導の設計も兼ね備えており、同時に使用者が当該液体パックを持ち上げる時、指を切る心配を避けることができる。
【００２３】
上述の実施例は、本考案の原理及びその効果を例示して説明するためのものであるだけで、本考案を限定するためのものではない。いかなるこの技術を熟知している人は、本考案の精神及び範囲を離脱しないもとで、上述の実施例について修飾及び変更をすることができる。そのため、本考案の権利保護の範囲を添付の実用新案登録の請求範囲に記載する。
【図面の簡単な説明】
【００２４】
【図１】本考案の液体パックにおける実施例１の平面断面図である。
【図２】図１に示す液体パックの隅角密封部を切断したイメージ図である。
【図３Ａ】本考案の液体パックにおける硬質開口部の各種切断面のイメージ図である。
【図３Ｂ】本考案の液体パックにおける硬質開口部の各種切断面のイメージ図である。
【図３Ｃ】本考案の液体パックにおける硬質開口部の各種切断面のイメージ図である。
【図４】図１に示す液体パックの安定した自立の立体イメージ図である。
【図５Ａ】本考案における携帯用指穴を具える液体パックの実施例を示す図である。
【図５Ｂ】本考案における携帯用指穴を具える液体パックの実施例を示す図である。
【図６Ａ】本考案における携帯用指穴を具える液体パックの別の実施例を示す図である。
【図６Ｂ】本考案における携帯用指穴を具える液体パックの別の実施例を示す図である。
【図７Ａ】本考案における携帯用指穴を具える液体パックのさらに別の実施例を示す図である。
【図７Ｂ】本考案における携帯用指穴を具える液体パックのさらに別の実施例を示す図である。
【図８】は、本考案における液体パックのその他の実施例を示すイメージ図である。
【図９Ａ】従来の液体パックを示すイメージ図である。
【図９Ｂ】図９Ａに示す従来の液体パックの開口を切断した切断面を示すイメージ図である。
【図９Ｃ】図９Ａに示す従来の液体パックを傾けたイメージ図である。
【符号の説明】
【００２５】
１  液体パック
１０  フィルム
１１  液体充填空間
１２  隅角密封部
１５  フィルム周縁
２０  開口部材
２１  硬質開口部
２２  注ぎ口
３０  棒状支持凸縁
３１  誘導経路
３２  誘導経路
４０  携帯用指穴
４１  内縁側
４２  曲折部
４３  丸穴
４３ａ  丸穴弧面
４５  光沢材料
５  液体パック
５０  フィルム
５２  隅角
５５  注ぎ口
【図１】
0003102702.tif 000003
【図２】
0003102702.tif 000004
【図３Ａ】
0003102702.tif 000005
【図３Ｂ】
0003102702.tif 000006
【図３Ｃ】
0003102702.tif 000007
【図４】
0003102702.tif 000008
【図５Ａ】
0003102702.tif 000009
【図５Ｂ】
0003102702.tif 000010
【図６Ａ】
0003102702.tif 000011
【図６Ｂ】
0003102702.tif 000012
【図７Ａ】
0003102702.tif 000013
【図７Ｂ】
0003102702.tif 000014
【図８】
0003102702.tif 000015
【図９Ａ】
0003102702.tif 000016
【図９Ｂ】
0003102702.tif 000017
【図９Ｃ】
0003102702.tif 000018